(57)【特許請求の範囲】
【請求項１】
表示装置が装備された面と同じ面にフロントカメラを備えたタブレット端末用の売場防犯プログラムであって、
前記タブレット端末の情報処理部に、
前記フロントカメラから入力される売場の映像を前記表示装置にリアルタイムに表示する処理と、
前記フロントカメラから入力される前記売場の画像を記憶装置に記録する処理と、
ＰＯＰ表示機能の「有効」又は「無効」を設定する処理と、
前記ＰＯＰ表示機能の設定が「有効」の場合、前記表示装置に広告を表示する処理を実行しながら、前記売場の画像を記録すると共に、スピーカから音声を出力させる処理と、
を実行させる売場防犯プログラム。
【請求項２】
前記売場の画像を記録する処理は、
撮影周期を記憶装置から読み出す処理と、
読み出した前記撮影周期の到来を検査し、撮影周期が到来するごとに、前記フロントカメラで売場の静止画を撮影し、撮影した売場の静止画を記憶装置に蓄積する静止画撮影処理と、
を含む、請求項１に記載の売場防犯プログラム。
【請求項３】
前記情報処理部に、前記フロントカメラの映像から動体を検知したことを条件として、前記静止画撮影処理を実行させる、請求項２に記載の売場防犯プログラム。
【請求項４】
請求項１乃至３のいずれか１項に記載の売場防犯プログラムを記録したコンピュータ読み取り可能な記録媒体。
【請求項５】
請求項１乃至３のいずれか１項に記載の売場防犯プログラムをインストールした前記タブレット端末。
【請求項６】
請求項５に記載のタブレット端末を売場の商品陳列棚に装備した売場。
【請求項７】
請求項６に記載の売場において、
前記商品陳列棚と前記タブレット端末との間にタブレット端末の角度調整機構を備えた売場。
【発明の詳細な説明】
【技術分野】
【０００１】
本発明は、カメラで撮影した画像を利用し、店内の売場における犯罪を防止するシステムに関する。
【背景技術】
【０００２】
従来の売場防犯システムでは、店内の天井付近に設けた監視カメラにより売場を撮影し、撮影した売場の映像をレジ付近のモニタに映し出す（例えば、特許文献１）。売場が撮影されていることをモニタで知らしめることにより、売場における犯罪が防止される。しかし、従来のシステムでは、監視カメラとモニタとを別個に設置して接続しなければならず、大掛かりな導入作業とコストとが店舗へのシステム導入の促進を妨げている。
【先行技術文献】
【特許文献】
【０００３】
【特許文献１】特開２０１５−１９１７１号公報
【発明の概要】
【発明が解決しようとする課題】
【０００４】
本発明は、かかる従来例の有する不都合を改善し、特に、店舗へのシステムの導入を従来よりも容易に行うことができるシステムの提供を課題とする。
【課題を解決するための手段】
【０００５】
この課題を解決するため、本願は、表示装置が装備された面と同じ面にフロントカメラを備えたタブレット端末用の売場防犯プログラムを提供する。本発明の売場防犯プログラムは、タブレット端末の情報処理部に、フロントカメラから入力される売場の映像を表示装置にリアルタイムに表示する処理を実行させる。これによると、天井付近に監視カメラを設置し、レジ付近にモニタを設置する従来の防犯カメラシステムとは異なり、単体のタブレット端末で撮影及び表示が可能となる。
【発明の効果】
【０００６】
よって、本発明によれば、店舗への売場防犯システムの導入を従来よりも容易に行うことができる。
【図面の簡単な説明】
【０００７】
【図１】図１は、本発明の実施形態を示す売場構成例。
【図２】図２は、図１に示すタブレット端末の概略構成図。
【図３】図３は、図２のタブレット端末が実行する防犯処理のフローチャート。
【発明を実施するための形態】
【０００８】
以下、本発明の実施形態を説明する。本実施形態の売場防犯システムは、図１（ａ）に示すように、売場の商品陳列棚Ｓに専用アプリ（アプリケーションソフトウェア）をインストールしたタブレット端末１０を設置することで構成される。上記の専用アプリを防犯カメラアプリという。タブレット端末１０は、表示装置２と同じ面にフロントカメラ１を備えている。
図１（ｂ）に示すように、タブレット端末１０は、固定手段２１を介して陳列棚Ｓに固定される。本実施形態において、固定手段２１は、円筒状の棒材である。タブレット端末１０は盗難防止ケース２０に収納される。この盗難防止ケース２０に、固定手段２１の一端部が固定されている。また、固定手段２１の他端部は、陳列棚Ｓに固定されている。盗難防止ケース２０と固定手段２１との接続部は、円筒状の棒材である固定手段２１を回転軸として盗難防止ケース２０を回転できる機構になっている。盗難防止ケース２０を回転させることにより、フロントカメラ１の視野がタブレット端末１０を設置された陳列棚Ｓの付近を訪れた来店客を捉えるように、タブレット端末１０の角度を調整する。盗難防止ケース２０は、電源コード２２により外部からタブレット端末１０に電力を供給できるようになっている。
【０００９】
図２は、タブレット端末１０のハードウェア構成の概略を示している。タブレット端末１０は、プロセッサ、チップセット及びＲＡＭ（主記憶装置）を含む情報処理部４を備えている。また、上記のフロントカメラ１と、上記の表示装置２と、この表示装置２の上で機能するタッチパネル３とを有する。更に、内蔵ストレージ５（補助記憶装置）、外部メモリ６（補助記憶装置）及びWi-Fi等の通信装置を備えている。一般的なタブレット端末に装備されているその他の装備（オーディオ等）は図示を省略する。
【００１０】
次に、情報処理部４が防犯カメラアプリを実行することにより実現される動作を説明する。防犯カメラアプリは、外部メモリ６よりインストールする。通信装置７によりダウンロードされ、インストールされてもよい。防犯カメラアプリは種々の機能を提供するが、図３は、そのうちの防犯処理のフローチャートを示している。タブレット端末１０において防犯カメラアプリが実行され、その機能のうちの防犯処理が起動されると、情報処理部４は、フロントカメラ１から入力される映像を表示装置２にリアルタイムに表示する（Ｓ１）。その間、情報処理部４は、内蔵ストレージ５に予め格納されている設定情報から静止画の撮影周期、動体検知の有効／無効の設定データを読み出し、動体検知の有効／無効を検査する（Ｓ２）。動体検知が有効の場合、情報処理部４は、フロントカメラ１から入力される映像に基づいて動体の検知（Ｓ３）を実行する。動体を検知した場合、情報処理部４は、読み出した撮影周期の到来を検査する（Ｓ４）。また、情報処理部４は、Ｓ２で動体検知が無効の場合もＳ４の処理に進む。Ｓ３で動体を検知しなかった場合、情報処理部４は、Ｓ１からの処理を繰り返す。情報処理部４は、Ｓ４で撮影周期の到来を検知すると、フロントカメラ１により売場の静止画を撮影し、撮影した静止画のデータを内蔵ストレージ５に蓄積する（Ｓ５）。この静止画を撮影静止画という。以降、情報処理部４は、Ｓ１からＳ５の処理を繰り返し実行する。Ｓ４で撮影周期の到来を検知しない場合も、情報処理部４は、Ｓ１からの処理を繰り返す。
【００１１】
以上の処理により、来店者が売場を訪れ、フロントカメラ１の視野に入り撮影されると、タブレット端末１０の表示装置２に来店者の映像がリアルタイムに表示される。また、来店者を写した撮影静止画がタブレット端末１０の内蔵ストレージ５に蓄積されてゆく。
【００１２】
仮に、売場を訪れた来店者に犯罪の意図があったとしても、陳列棚に設置されたタブレット端末１０の表示装置２に自分の姿が写り、撮影されていることに気付くので、犯罪を未然に防止することができる。犯罪を意図する者に直接撮影している映像を見せることができるため、犯罪の抑止効果が高まる。
【００１３】
売場の陳列棚に防犯カメラアプリを実行するタブレット端末１０を設置するだけで、上記の防犯効果を得ることができる。従来のように、監視カメラの天井付近への設置作業、別途の監視モニタの設置作業や、監視カメラと監視モニタとの接続作業は不要である。大掛かりな導入作業を不要としコストダウンも図れるため、店舗への売場防犯システムの導入を従来よりも容易に行うことができる。
【００１４】
情報処理部４は、防犯カメラアプリを実行することにより、上記以外にも様々な機能を提供する。各機能を以下に説明する。
【００１５】
［撮影周期等の設定機能］
情報処理部４は、タッチパネル３から入力された撮影周期等の設定を内蔵ストレージ５の設定情報に記録する。設定情報には、撮影周期、ユーザ認証パスワード、動体検知機能の有効／無効、ＰＯＰ表示機能の有効／無効等が含まれる。撮影周期を短く設定するほど、撮影静止画の単位時間あたりの枚数を増やすことができる。一方、撮影周期を長く設定するほど、内蔵ストレージ５の記録領域を節約することができる。環境に応じて最適な撮影周期を設定することができる。情報処理部４は、防犯カメラアプリの起動直後に、所定のユーザ認証処理を経て、表示装置２に設定メニュー画面を表示してもよい。
【００１６】
［動体検知機能］
上述の通り、動体検知機能が有効に設定されている場合、情報処理部４は、フロントカメラ１が捉えた映像から動体検知を行う動体検知プロセスを実行する。この場合、情報処理部４は、動体検知プロセスにより動体を検知している間に限り、図３のＳ４からＳ５の処理を実行する。
【００１７】
［レジューム機能］
情報処理部４は、上記の動体検知プロセスが予め設定された一定時間動体を検知しない場合、表示装置２の画面表示を消灯する。表示装置２の焼き付きを抑え、表示装置２の劣化を抑えることができる。
【００１８】
［画像検索機能及びサムネイル表示機能］
情報処理部４は、内蔵ストレージ５に格納する撮影静止画に、撮影した日時を紐付けて記録する。情報処理部４は、タッチパネル３から画像検索の要求を受けると、表示装置２に、検索条件として日付及び時刻の範囲の入力を受け付ける検索画面を表示する。情報処理部４は、検索画面に入力された日付及び時刻の範囲に該当する撮影静止画を内蔵ストレージ５から検索し、検索された複数の撮影静止画を単位時間ごとに（例えば１分間ごとに）グループ化し、各グループを表す代表サムネイル画像（例えば単位時間内の最初の撮影静止画のサムネイル画像）を表示装置２に表示する。情報処理部４は、表示装置２に表示した代表サムネイル画像がタッチパネル３によりクリックされると、クリックされた代表サムネイル画像に対応するグループに含まれる各撮影静止画の個別サムネイル画像を表示装置２に表示する。情報処理部４は、表示装置２に表示した個別サムネイル画像がタッチパネル３によりクリックされると、クリックされた個別サムネイル画像に対応する撮影静止画を内蔵ストレージ５から読み出して表示装置２に表示する。
【００１９】
［撮影静止画の保管期間］
情報処理部４は、内蔵ストレージ５の残量が一定以下になった場合に、撮影日時が古い撮影静止画から順に内蔵ストレージ５から削除してもよい。
【００２０】
［撮影静止画の外部メモリへの書き出し機能］
情報処理部４は、撮影静止画の外部メモリ６への書き出しをタッチパネル３から要求されると、書き出す撮影静止画を撮影日ごとに選択可能な選択画面を表示装置２に表示する。情報処理部４は、選択画面においてタッチパネル３から選択された撮影日時に該当する１乃至複数の撮影静止画を一般的な画像フォーマットのファイルにより外部メモリ６に記録する。
【００２１】
［ＰＯＰ表示機能］
情報処理部４は、表示装置２にＰＯＰ動画（広告画面）を表示すべきモードになると、外部メモリ６に予め格納されたＰＯＰ動画を表示装置２に表示する。情報処理部４は、ＰＯＰ動画表示中に、図３のＳ２からＳ５の処理を繰り返し実行してもよい。
【００２２】
本発明は、以上の実施形態に限定されない。例えば、防犯効果を得るに当たっては、撮影静止画の内蔵ストレージ５への記録は必ずしも必要ではない。タブレット端末１０の設置場所は必ずしも商品陳列棚に限らない。情報処理部は、ＰＯＰ表示機能の実行時等にタブレット端末から音声を出力してもよい。情報処理部は、防犯処理実行時等にタブレット端末のマイクから周囲の音声を取得して内蔵ストレージに保存してもよい。情報処理部は、内蔵ストレージに保存するとした各種情報を内蔵ストレージに代えて外部メモリに保存してもよい。
【符号の説明】
【００２３】
１  フロントカメラ
２  表示装置
３  タッチパネル
４  情報処理部
５  内蔵ストレージ
６  外部メモリ
７  通信装置
１０  タブレット端末
【図１】
0006702621.tif 000002
【図２】
0006702621.tif 000003
【図３】
0006702621.tif 000004